(57)【要約】  受信環境が悪い状況下においてデジタル放送を受信して記録した場合でも、ユーザにとっては不具合感ないし不快感が生じることがなく、デジタル放送の良好な再生および表示を可能にするデジタル放送受信装置。この装置では、ＯＦＤＭ復調部（３）は、ワンセグの放送信号をＯＦＤＭ復調及び誤り訂正し、受信が正常であったかまたは受信が異常であったかを判定し、判定結果に応じたＴＥＩをＴＳパケットに付加する。解析部（１１）は、ＴＥＩを解析して、放送番組の記録が正常であるかまたは異常であるかを判断する。記録装置（１２）は、ＴＳパケットを記録する。主表示部（７）は、映像を表示するとともに、放送番組の記録が正常であるかまたは異常であるかを表示する。
2008068870.tif 000002
【特許請求の範囲】
【請求項１】
デジタル放送信号を受信する受信手段と、
受信した前記デジタル放送信号を復調してパケットデータを抽出する復調手段と、
前記復調手段で抽出した前記パケットデータを記録する記録手段と、
前記記録手段に記録したパケットデータの受信状態を解析する解析手段と、
前記解析手段における解析に基づき、前記記録手段に記録した前記パケットデータの記録状況を報知する報知手段と、
を具備するデジタル放送受信装置。
【請求項２】
前記復調手段は、前記復調に加えて前記デジタル放送信号を誤り訂正してパケットデータを抽出し、
前記報知手段は、前記解析手段が前記解析により前記復調手段における誤り訂正が不可であることを検出した場合に、前記記録状況の異常を報知する請求項１記載のデジタル放送受信装置。
【請求項３】
前記報知手段は、前記記録状況の異常を報知する振動手段である請求項１に記載のデジタル放送受信装置。
【請求項４】
前記報知手段は、前記記録状況の異常を報知する発光手段である請求項１に記載のデジタル放送受信装置。
【請求項５】
前記報知手段は、前記記録状況が異常である場合、前記受信状況の改善を促す報知を行う請求項１に記載のデジタル放送受信装置。
【請求項６】
前記記録手段により記録された前記パケットデータを再生する際に、前記再生による映像と前記記録状況とを合わせて表示する再生制御手段を具備する請求項１に記載のデジタル放送受信装置。
【請求項７】
前記再生制御手段は、前記記録状況が異常である記録部分を飛ばして再生する請求項６に記載のデジタル放送受信装置。
【請求項８】
デジタル放送信号を受信する受信ステップと、
受信した前記デジタル放送信号を復調してパケットデータを抽出する復調ステップと、
前記復調ステップで抽出した前記パケットデータを記録する記録ステップと、
前記記録ステップで記録したパケットデータの受信状態を解析する解析ステップと、
前記解析ステップにおける解析に基づき、前記記録ステップで記録した前記パケットデータの記録状況を報知する報知ステップと、
を具備するデジタル放送記録方法。
【請求項９】
デジタル放送信号を受信する受信ステップと、
受信した前記デジタル放送信号を復調してパケットデータを抽出する復調ステップと、
前記復調ステップで抽出した前記パケットデータを記録する記録ステップと、
前記記録ステップで記録したパケットデータの受信状態を解析する解析ステップと、
前記解析ステップにおける解析に基づき、前記記録ステップで記録した前記パケットデータの記録状況を判定する記録状況判定ステップと、
前記記録ステップで記録された前記パケットデータを再生する際に、前記再生による映像と前記記録状況とを合わせて表示する再生制御ステップと、
を具備するデジタル放送再生方法。
【発明の詳細な説明】
【技術分野】
【０００１】
本発明は、デジタル放送受信装置、デジタル放送記録方法およびデジタル放送再生方法に関する。
【背景技術】
【０００２】
日本国内で地上デジタルテレビジョン放送（以下、地上デジタル放送と表記する）が順次開始され、アナログ放送からデジタル放送への移行が拡大をしている。【０００３】
近時、地上デジタル放送はＩＳＤＢ−Ｔ（Integrated Services Digital Broadcasting - Terrestrial）と呼ばれるセグメント化したＯＦＤＭ（Orthogonal Frequency Division Multiplex）変調方式を採用する。ＩＳＤＢ−Ｔでは、１つのチャンネルにおいて１３のセグメントを最大で３つの階層に分けることができ、各々の階層で別々の伝送パラメータを割り当てることが可能である。このことを以下で階層伝送と表記する。具体的には、日本の地上デジタル放送方式では、１つのチャンネルが１３の「セグメント」に分割されており、これをいくつか束ねたものを用いて映像、データ、及び音声などを送信している。【０００４】
地上デジタル放送は階層伝送することで、１つのチャンネルで複数のサービスが可能である。地上デジタル放送は、２００６年４月１日に開始され、これまでの据置き型の固定受信装置向けの放送だけでなく、携帯端末や車載受信機などの移動体受信機で受信が可能となる（例えば、特許文献１）。地上デジタル放送で行なわれる携帯電話などの移動体向けの放送は、もともと技術的呼称として１セグメント放送と呼ばれていたが、地上デジタル放送推進協会によって２００５年９月にワンセグという名称が決定された。以下、携帯端末向けの地上デジタル放送を、ワンセグと表記する。【０００５】
ワンセグの具体的実現にあたって色々な方法が提案されており、例えば特許文献１に記載の地上デジタル放送では、放送受信端末の受信信号に対し時間軸方向の予測符号化をして予想画像データを得る手段を設け、予測符号化された画像データと、受信信号から直接得た画像データとを組み合わせて記録ないし再生することにより高品質の画像記録及び再生を行う。また、ワンセグは、移動する携帯端末での受信を想定しているために、固定受信機による場合よりもエラーに強い変調方式、例えばＱＰＳＫ変調方式を用いる。【０００６】
【特許文献１】特開２００５−２７７９９６号公報
【発明の開示】
【発明が解決しようとする課題】
【０００７】
しかしながら、予測符号化手段を設けて高度な画像処理を行い、あるいはエラーに強い変調方式を採用した場合であっても、ワンセグを受信する受信機は、携帯電話や車載受信機などの移動体受信機であるために、常に安定した受信環境で受信しているとは限らない。さらに、ワンセグの受信機は、ユーザの移動に伴い、電波を受信できる場所から電波をまったく受信できない場所へ移動する場合もあり、ワンセグの受信品質確保には自ずと限界があり、記録品質が一時的に低品質となる場合がある。その結果、ユーザに不具合感ないし不快感を与えるという問題がある。例えば、受信機にて放送番組を記録している間、ユーザが、記録している番組以外の番組を視聴している場合、またはメールやインターネットなど他のアプリケーションを利用している場合には、記録している放送番組の受信状況が悪化していても気がつかないことがある。その結果、ユーザは、記録された放送番組を再生した際に、初めて記録品質が低品質であることを知ることとなり、ユーザに不具合感ないし不快感を与えるという問題がある。【０００８】
本発明の目的は、受信環境が悪い状況下においてデジタル放送を受信して記録した場合でも、ユーザにとっては不具合感ないし不快感が生じることがなく、デジタル放送の良好な再生および表示を可能にするデジタル放送受信装置、デジタル放送記録方法およびデジタル放送再生方法を提供することである。
【課題を解決するための手段】
【０００９】
本発明のデジタル放送受信装置は、デジタル放送信号を受信する受信手段と、受信した前記デジタル放送信号を復調してパケットデータを抽出する復調手段と、前記復調手段で抽出した前記パケットデータを記録する記録手段と、前記記録手段に記録したパケットデータの受信状態を解析する解析手段と、前記解析手段における解析に基づき、前記記録手段に記録した前記パケットデータの記録状況を報知する報知手段と、を具備する構成を採る。【００１０】
本発明のデジタル放送記録方法は、デジタル放送信号を受信する受信ステップと、受信した前記デジタル放送信号を復調してパケットデータを抽出する復調ステップと、前記復調ステップで抽出した前記パケットデータを記録する記録ステップと、前記記録ステップで記録したパケットデータの受信状態を解析する解析ステップと、前記解析ステップにおける解析に基づき、前記記録ステップで記録した前記パケットデータの記録状況を報知する報知ステップと、を具備するようにした。【００１１】
本発明のデジタル放送再生方法は、デジタル放送信号を受信する受信ステップと、受信した前記デジタル放送信号を復調してパケットデータを抽出する復調ステップと、前記復調ステップで抽出した前記パケットデータを記録する記録ステップと、前記記録ステップで記録したパケットデータの受信状態を解析する解析ステップと、前記解析ステップにおける解析に基づき、前記記録ステップで記録した前記パケットデータの記録状況を判定する記録状況判定ステップと、前記記録ステップで記録された前記パケットデータを再生する際に、前記再生による映像と前記記録状況とを合わせて表示する再生制御ステップと、を具備するようにした。
【発明の効果】
【００１２】
本発明によれば、デジタル放送受信において、受信状況に関わらず、ユーザにおいては、不具合感ないし不快感が生じることがなく、デジタル放送の良好な記録ないし再生をすることができる。
【図面の簡単な説明】
【００１３】
【図１】本発明の実施の形態に係るワンセグ受信装置の構成を示すブロック図
【図２】本発明の実施の形態に係るワンセグ受信装置の記録処理動作を示すフロー図
【図３】本発明の実施の形態に係るワンセグ受信装置の記録状態の検出結果を示す図
【図４】本発明の実施の形態に係るワンセグ受信装置の放送番組の記録時における受信異常を示す図
【図５】本発明の実施の形態に係るワンセグ受信装置の放送番組の再生処理動作を示すフロー図
【図６】本発明の実施の形態に係るワンセグ受信装置の放送番組の記録が正常の場合における再生時の表示例を示す図
【図７】本発明の実施の形態に係るワンセグ受信装置の放送番組の記録が異常な場合における再生時の表示例を示す図
【図８】本発明の実施の形態に係るワンセグ受信装置の放送番組の記録が不可である場合における再生時の表示例を示す図
【発明を実施するための最良の形態】
【００１４】
以下、本発明の実施の形態について図面を参照して詳細に説明する。【００１５】
（実施の形態）
図１は、本発明の実施の形態に係るワンセグ受信装置１００の構成を示すブロック図である。【００１６】
図１において、ワンセグ受信装置１００は、アンテナ１、チューナ部２、ＯＦＤＭ復調部３、トランスポートデコーダ部４（以下、ＴＤ部４と表記する）、ＡＶデコーダ５、スピーカ６、主表示部７、振動装置８、発光装置９、ＣＰＵ１０、解析部１１、記録装置１２、ユーザインタフェース部１３（以下、ＵＩ部１３と表記する）、副表示部１４、通信部１５とから主に構成される。【００１７】
アンテナ１は、図示しないデジタル放送送信装置がＯＦＤＭ変調して送信するＵＨＦ帯の１ＣＨから６３ＣＨのワンセグ電波を受信し、受信信号をチューナ部２に出力する。【００１８】
チューナ部２は、アンテナ１が受信した受信信号から、ＣＰＵ１０により指定されたチャンネルの周波数の受信信号を選択し、利用者が設定したワンセグの放送信号としてＯＦＤＭ復調部３に出力する。【００１９】
ＯＦＤＭ復調部３は、チューナ部２より出力されたワンセグの放送信号をＯＦＤＭ復調及び誤り訂正し、ＭＰＥＧ２−ＴＳ（Moving Picture Experts Group Phase 2 - Transport Stream：ＭＰＥＧ２トランスポートストリーム。以下、単に「ＴＳ」と記載する。）と呼ばれる１８８バイトの固定長パケットを抽出してＴＤ部４に出力する。また、ＯＦＤＭ復調部３は、復調したＴＳの各パケットについて、誤り訂正の結果、受信が正常であったか、異常であったかを判定する。具体的には、ＯＦＤＭ復調部３は、誤り訂正できた場合に受信が正常であると判定し、誤り訂正できなかった場合に受信が異常であると判定する。また、ＯＦＤＭ復調部３は、受信が正常であると判定した場合はＴＳパケットのヘッダに設けたＴＥＩ（Transport Error Indicator）に「０」を書き込み、受信が異常であると判定した場合にはＴＥＩに「１」を書き込む。そして、ＯＦＤＭ復調部３は、ＴＥＩを付加したＴＳをＴＤ部４に出力する。【００２０】
ＴＤ部４は、ユーザが放送番組を視聴する時は、ＯＦＤＭ復調部３より入力したＴＳパケットを、ＣＰＵ１０により指定されたＰＩＤ（Packet Identifier）に従い、ＡＶデコーダ５に順次出力する。また、ＴＤ部４は、放送番組の記録時には、ＯＦＤＭ復調部３より入力したＴＳパケットを、ＣＰＵ１０により指定されたＰＩＤ（Packet Identifier）に従い、解析部１１に順次出力する。【００２１】
ＡＶデコーダ５は、ユーザが放送番組を視聴する時、ＴＤ部４より出力されたＴＳパケットから、音声と映像のＰＥＳ（Packetized Elementary Stream）またはＥＳ（Elemantary Stream）を抽出して復号化し、音声信号および映像信号としてスピーカ６および主表示部７に出力する。【００２２】
また、ＡＶデコーダ５は、記録された放送番組の再生時おいて、記録装置１２に記録されたＴＳパケットを読み出し、読み出されたＴＳパケットから音声と映像のＰＥＳ（Packetized Elementary Stream）またはＥＳ（Elemantary Stream）を抽出して復号化し、音声信号および映像信号としてスピーカ６および主表示部７に出力する。【００２３】
スピーカ６は、ＡＶデコーダ５から出力された音声信号に従い、音声を再生する。【００２４】
主表示部７は、ＡＶデコーダ部５から出力された映像信号に従い、映像を表示する。また、主表示部７は、記録装置１２に記録されている、記録が正常であるかまたは異常であるかの記録状況を、映像と合わせて表示する。なお、主表示部７は、広い表示領域を有し、ＣＰＵ１０がユーザの便利のため出力する文字情報を表示するＯＳＤ（On Screen Display）が、可能である。また、主表示部７は、映像と記録状況とを別々に表示しても良い。【００２５】
振動装置８は、ワンセグ受信装置１００の受信状態が異常である場合、あるいは記録状態に異常もしくは不可であった場合をユーザに知らせるため、ＣＰＵ１０から振動の指令により振動する。【００２６】
発光装置９は、振動装置８と同様、ワンセグ受信装置１００の状態をユーザに知らせるため、ＣＰＵ１０により発光の指令があるとき発光する。例えば、発光装置９は、正常に記録できた場合は青に発光し、記録が異常、もしくは不可の場合は赤に発光する。【００２７】
ＣＰＵ１０は、ワンセグ受信装置１００全体の制御を行う。具体的には、ＣＰＵ１０は、チューナ部２、ＯＦＤＭ復調部３、ＴＤ部４を制御して、ユーザが選択した放送番組を、記録装置１２に記録するための制御を行う。さらに、ＣＰＵ１０は、例えば、記録装置１２への記録で異常が発生した場合には、その旨を示す情報を主表示部７にＯＳＤ（On Screen Display）する制御を行う。またＣＰＵ１０は、ワンセグ受信装置１００が折り畳み型の装置であり、折り畳まれた状態にあるため主表示部７をユーザが視認できない場合に異常が発生した場合には、折り畳まれた状態でユーザが視認できる副表示部１４に、例えば異常を表示する制御を行う。また、ＣＰＵ１０は、後述する解析部１１の検出結果に基づいて、振動装置８に対して振動することを指令するかまたは発光装置９に対して発光することを指令する。【００２８】
解析部１１は、ＴＤ部４から入力したＴＳパケットを、放送番組を記録するために、記録装置１２に出力する。具体的には、解析部１１は、ＴＤ部４から入力した各ＴＳパケットのヘッダのＴＥＩを解析して放送番組の記録が正常であるか、または異常であるか、または不可であるかをパケットごとに検出し、検出結果を記録装置１２に出力する。【００２９】
記録装置１２は、解析部１１から入力したＴＳパケットおよび各パケットの検出結果を、所定のフォーマットで記憶することにより、放送番組を記録する。また、記憶装置１２は、ＣＰＵ１０から放送番組の再生制御の指令があると、記憶したＴＳパケットをＡＶデコーダ５に出力する。【００３０】
ＵＩ部１３は、ユーザが入力、操作を行うためのボタンなどを含んでおり、ユーザがボタンなどを操作することにより、例えば記録したい放送番組に対応する選局情報をＣＰＵ１０に出力し、あるいは放送番組の記録開始・停止、再生開始・停止などの情報をＣＰＵ１０に出力する。【００３１】
通信部１５は、ワンセグ受信装置１００が携帯電話装置である場合に、基地局との通信を行う。【００３２】
図２は、ワンセグ受信装置１００の放送番組の記録処理動作を示すフロー図である。以下、図２を用いてワンセグ受信装置１００の放送番組の記録処理動作を説明する。今、アンテナ１はワンセグの放送電波を受信しており、ユーザはＵＩ部１３を操作して、所定のチャネルの受信をするよう信号をＣＰＵ１０に出力していたものとする。【００３３】
放送番組の記録が開始された場合、ＣＰＵ１０は、ＵＩ部１３が指定した放送番組の選局情報を取得し、チューナ部２およびＯＦＤＭ復調部３に選局の指示をする（ステップＳ１）。この結果、チューナ部２は、アンテナ１が受信した放送信号のうち、選局した所定の放送信号をＯＦＤＭ復調部３に出力する。ＯＦＤＭ復調部３は、入力した放送信号をＯＦＤＭ復調し、復調したデータ信号（ＴＥＩをヘッダ部に含むＴＳパケット）をＴＤ部４に出力する。【００３４】
次に、ＣＰＵ１０は、ＴＤ部４に記録する放送番組のためのＰＩＤを指示する。ＴＤ部４は、ＰＩＤで指示された映像および音声のＴＳパケットを、解析部１１に出力する（ステップＳ２）。【００３５】
解析部１１は、入力したＴＳパケットからＴＳヘッダを抽出し、ＴＥＩを取得する（ステップＳ３）。解析部１１は、取得したＴＥＩを解析し（ステップＳ４)、記録する放送番組が良好に受信されたか等の受信状態を検出し、検出結果をＣＰＵ１０に出力するとともに、検出結果を記録装置１２に所定のフォーマットで記録する。ＣＰＵ１０は、記録状況を判定する（ステップＳ５）。具体的には、ＣＰＵ１０は、ＴＥＩが１である場合は記録が異常と判断し、受信状況改善要求の報知を行うステップＳ６へ遷移し、ＴＥＩが０である場合は記録が正常と判断し、ステップＳ７へ遷移する。なお、ＴＳパケットが出力されずにＴＥＩを抽出できない場合は、ＣＰＵ１０は、ステップＳ５において、記録が不可であったと判断して、制御をステップＳ６へ遷移する。【００３６】
次に、ステップＳ５において、解析部１１が行った検出の結果の記憶について説明する。図３は、記録装置１２に記憶する検出結果のフォーマットを示す。図３に示すように、検出結果は、ＰＥＳパケットの発生順に記録される。すなわち、図３において、ＰＴＳ（Presentation Time Stamp）は表示時刻を示す。実際のシステムでは通常ＰＴＳは２７ＭＨzでカウントされるが、説明を簡単にするため、図３においては、１ＭＨｚでカウントされ1／１００００００秒毎にＰＴＳがカウントされたＰＥＳパケットが送出されていたとして模式的に表示する。ＰＥＳパケットは複数のＴＳパケットから構成されているが、映像と音声のＴＳパケットのうち、少なくとも１つのＴＳパケットでＴＥＩが１となっていた場合は、解析部１１は、図３ではＰＥＳ６（再生時刻０．０００００６）およびＰＥＳ７（再生時刻０．０００００７）で示すように、該当ＰＥＳパケットは記録状況が「異常」であったとして、記録装置１２へ記録する。また、ＰＥＳパケットを構成しているＴＳパケットの全てのＴＥＩが解析できない場合は、解析部１１は、図３においてＰＥＳ８（再生時刻０．０００００８）およびＰＥＳ９（再生時刻０．０００００９）で示すように、該当ＰＥＳパケットの記録状況は、「不可」として記録装置１２へ記録する。全てのＴＳパケットのＴＥＩが０であるＰＥＳについては、解析部１１は、図３に示すように記録状況は、「正常」と記録装置１２に記録する（ステップＳ８）。【００３７】
ステップＳ５で記録が異常、または、記録が不可と判断した場合（ステップＳ５：ＮＯ）、ＣＰＵ１０は主表示部７を制御して、図４の参照符号４１で示すように、例えば「録画できません。電波が改善する場所へ移動することをおすすめします。」の文字情報を、主表示部７の中央部にＯＳＤ表示を行い、電波の受信状況が悪いことをユーザに報知し、受信状況の改善を促す（ステップＳ６）。なお、ステップＳ６において、ワンセグ受信装置１００が、折りたたみ型の携帯電話などで、折りたたみ状態にあり主表示部７が使用できない状態の場合は、副表示部１４に記録の異常を表示する。【００３８】
次に、ＣＰＵ１０は、解析部１１の検出結果に応じて、検出結果が示す記録状況を、図４の参照符号４２に示すように、発光装置９に表示させる（ステップＳ７）。例えば、発光装置９は、正常に記録できた場合は青に発光し、記録が異常、もしくは不可の場合は赤に発光する。さらに、記録が異常、もしくは、不可の場合は振動装置８を用いて振動させ、ユーザに記録が異常であることを報知する。【００３９】
以上のように検出結果を自動的に記憶するのは、ユーザは、放送番組の記録中は放送番組を視聴しているとは限らないからである。例えば、ユーザは、記録している番組以外の放送番組の視聴や、メールやブラウザなど他のアプリケーションの利用をしていることが考えられ、このような場合には主表示部７以外で放送番組の記録状況の報知をすることがユーザに対して望ましいからである。【００４０】
以上のようにして、映像、音声のＴＳパケットおよび検出結果は、解析部１１を介して記録装置１２に記録される（ステップＳ９）。【００４１】
次に、ワンセグ受信装置１００は、記録中に記録装置１２の記録容量の限界に達するか、またはユーザから記録の停止要求があった場合は記録処理を終了（ステップＳ１０：ＹＥＳ）し、それ以外（ステップＳ１０：ＮＯ）は、ステップＳ１に遷移し放送番組の記録を継続する。【００４２】
次に、ワンセグ受信装置１００に記録した放送番組の再生処理動作について説明する。図５は、ワンセグ受信装置１００において、一連の映像と音声のＴＳパケットによって記録装置１２に記録された放送番組の再生処理する動作を示すフロー図である。【００４３】
ＣＰＵ１０は、再生が開始された場合、記録装置１２に記録された放送番組の内容およびその記録状況を確認する（ステップＳ１１）。【００４４】
次に、再生に係る放送番組および受信状況などが主表示部７に表示される。以下、主表示部７に表示される態様を図６を用いて説明する。図６において、主表示部７は、参照符号６０で示す。【００４５】
ステップＳ１１にて確認処理が終了すると、ＣＰＵ１０は、再生に係る放送番組の記録時間を、図６の参照符号６１に示すように、「○○時間△△分××秒」と秒単位まで表示する（ステップＳ１２）。【００４６】
次にＣＰＵ１０は、記録状況を主表示部７に表示させる。具体的には、記録状況に異常がない場合は、図６の参照符号６２で示す、バー状で横長の表示を行い、記録が正常である旨を表示する。なお、図６における参照符号６３で示す矢印マークは、再生の進行に伴い左から右に移動して、バー状の表示６２と連動して、再生に係る放送番組の再生箇所を表示する。【００４７】
また、ＣＰＵ１０は、記録状況に異常があることが確認されている場合には、異常の発生を主表示部７に表示する。この場合の異常の表示を、図７を用いて説明する。図７において、参照符号７０は主表示部７を示す。ＣＰＵ１０は、図７に参照符号７１で示すように、記録に異常な箇所があることをユーザが視認しやすい主表示部７０の中央位置に、例えば「○分○秒間  映像・音声が乱れます」と異常が発生する旨をＯＳＤにより明示して表示する。同様に、記録が不可であった場合は、ＣＰＵ１０は、図８に参照符号８１で示すように記録不可な箇所があることを、例えば「○分○秒間録画に失敗しました  スキップします。」とＯＳＤに表示する（ステップＳ１３）。なお、図８において、参照符号８０は、主表示部７を示す。【００４８】
その後、ＣＰＵ１０は、記録装置１２を制御して記録内容の再生を開始させる(ステップＳ１４)。再生された映像信号は、ＡＶデコーダ５によって、主表示部７に映像を表示する。この映像は、主表示部７の中央部である、図６において参照符号６４で示す部分に表示される。また、映像の再生が正常に行われる場合、ＣＰＵ１０は主表示部７（図６では、参照符号６０）を制御して、図６の参照符号６３で示す矢印状の表示により、現在の再生場所が時間軸上のどこの位置であるかを表示させ、さらに図６の参照符号６１で示す位置に、例えば「○○時間△△分××秒」のように、再生場所の時間軸上のどこの位置である現在の再生時刻を秒単位まで表示させる（ステップＳ１５）。【００４９】
次に、ＣＰＵ１０は、記録装置１２から読み出した、図３に示す記録内容を参照して記録状態を把握し、記録状態が異常である場合はステップＳ１７に遷移して、後述する対応する異常処理を行い、記録状態が正常であればステップＳ１８へ遷移して再生を停止するかどうかを判定する（ステップＳ１６）。従って、ユーザがＵＩ部１３を操作して再生の停止をしない限り、ワンセグ受信装置１００は、再生を継続する。【００５０】
ステップＳ１６において、記録状態が異常である場合（ステップＳ１６：ＮＯ）、ＣＰＵ１０は、制御をステップＳ１６に遷移して主表示部７を制御して、図７に参照符号７１で示すように、例えば「○分○秒間映像・音声が乱れます」と主表示部７（図７においては、参照符号７０）の中央部に表示する（ステップＳ１７）。なお、ＣＰＵ１０は、ステップＳ１７において、記録が異常な部分の時間を、例えば図３に模式的に示したように、記録状況が異常になるＰＥＳパケットのタイミングから記録状況が正常になるＰＥＳパケットのタイミングまでの時間（図３においては、ＰＥＳ６からＰＥＳ９までの時間）を利用して算出する。このようにして記録が異常となる時間を算出すると、ＣＰＵ１０は、図７において参照符号７３で示すように、時間軸上のどの部分が異常であるかを明示する表示を行う。このような受信の異常を示す表示７３は、複数の箇所で発生する場合もある。【００５１】
さらにＣＰＵ１０は、主制御部７を制御して、図８で示すように、主表示部７（図８においては、参照符号８０で示す。）の中央部８１に「記録が正常なところまでスキップしますか？」と表示する。この表示に対応してユーザがスキップすると判断し、その旨をＵＩ部１３から出力させた場合は、ＣＰＵ１０は記録装置１２の再生動作を制御する。具体的には、記録装置１２は、ＣＰＵ１０からの制御に従い、該当出力を受けて記録が正常なところから再生を開始する（ステップＳ１７）。図８において、参照符号８３は、スキップの対象となる記録が正常に行えていない部分を表示している。【００５２】
次に、記録された最後のＰＥＳパケットが再生された場合、またはＵＩ部１３で再生停止の指示があった場合（ステップＳ１８：ＹＥＳ）は、ＣＰＵ１０は記録装置１２を制御し、記録装置１２はＣＰＵ１０からの制御に従い再生を停止し、その他の場合は（ステップＳ１８：ＮＯ）、ＣＰＵ１０は制御をステップＳ１４へ遷移して、記録装置１２を制御し、記録装置１２はＣＰＵ１０からの制御に従い、再生を継続する（ステップＳ１８）。【００５３】
以上のように、記録装置１２から放送番組が再生されると、記録装置１２から読み出されるＴＳパケットはＡＶデコーダ５に出力され、ワンセグの受信時と同様、ワンセグがスピーカ６で音声が再生され、主表示部７に映像が表示される。【００５４】
なお、放送番組の再生の場合、振動装置８や発光装置９を、起動しないよう構成してもよい。ユーザは視聴状態にあり、警報はあえては不要だからである。ただし、ユーザがＵＩ部１３を操作し、警報を発するよう設定した場合は、ＣＰＵ１０がこの設定状態を検出し、異常時などには振動装置８や発光装置９を起動するようにしてもよい。すなわち、振動装置８や発光装置９は、ユーザが記録対象の放送番組を視聴することなく、いわゆる裏番組として、記録している場合に、ＯＳＤ機能と相まって、受信の異常や、受信記録が不可の状態を確実にユーザに報知できるので、ワンセグ受信装置の使い勝手を向上させ、実用上の効果は大きい。【００５５】
以上説明した本発明の実施の形態においては、記録装置１２に記録されるＴＳパケットはワンセグ電波を受信して入力されるものとしたが、これに限らず、携帯電話の通信網から通信部１５を介して取得した映像情報などのＴＳパケットを記録することも可能である。【００５６】
なお、以上説明した本発明の実施の形態においては、説明が徒に複雑となるのを避けるため、ＴＳパケットは音声および映像に分離されるものとして説明したが、音声、映像の他、各種の制御信号に分離されるものであってもよい。この音声、映像ないし各種制御のためのパケットは、ＴＤ部４で分離され、解析部１１を介して、記録装置１２に記録されるものであってもよい。このようなＯＦＤＭ復調部３で復調され得られたＴＳパケットの分離制御などは、デジタル放送の分野では当業者にとって周知であるので、本明細書では詳しい説明は省略してある。【００５７】
なお、本発明は、特に携帯ないし移動して使用されるワンセグ受信装置において特に実用的効果が高いものであるが、ワンセグ受信を行う固定受信向けのデジタル放送受信装置にも適用できる。また、本発明は、１セグメントを用いたデジタル放送に限るものではなく、数セグメントを用いたデジタル放送を受信するデジタル放送受信装置にも適用できる。【００５８】
以上のように、本発明の実施の形態に係るワンセグ受信装置によれば、ワンセグ受信において不可避的に電波状況が悪くなった場合であっても、受信状況を受信時、再生時のいずれの場合もユーザに明確に報知するので、ユーザにおいては、記録状況が悪いことを予め認識できるので、ユーザは不要な不具合感ないし不快感を抑えて、ワンセグ受信装置を良好に利用することが可能となる。
【産業上の利用可能性】
【００５９】
本発明は、デジタル放送受信装置、デジタル放送記録方法およびデジタル放送再生方法に適用するのに有用である。
【図１】
2008068870.tif 000003
【図２】
2008068870.tif 000004
【図３】
2008068870.tif 000005
【図４】
2008068870.tif 000006
【図５】
2008068870.tif 000007
【図６】
2008068870.tif 000008
【図７】
2008068870.tif 000009
【図８】
2008068870.tif 000010
【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
デジタル放送信号を受信する受信手段と、
受信した前記デジタル放送信号を復調してパケットデータを抽出する復調手段と、
前記復調手段で抽出した前記パケットデータに含まれる受信が正常であるか異常であるかを示す情報に基づいて前記パケットデータの異常を検出する検出手段と、
前記復調手段で抽出した前記パケットデータを記録する記録手段と、
前記検出手段における検出結果に基づいて、前記記録手段に記録した前記パケットデータの記録状況を報知する報知手段と、
を具備するデジタル放送受信装置。
【請求項１１】
前記記録手段は、前記検出手段における検出結果に関わらず前記パケットデータと共に前記記録状況を記録する請求項１０記載のデジタル放送受信装置。
【請求項１２】
前記報知手段は、前記記録状況の異常を報知する振動手段である請求項１０に記載のデジタル放送受信装置。
【請求項１３】
前記報知手段は、前記記録状況の異常を報知する発光手段である請求項１０に記載のデジタル放送受信装置。
【請求項１４】
前記報知手段は、前記記録状況が異常である場合、前記受信状況の改善を促す報知を行う請求項１０に記載のデジタル放送受信装置。
【請求項１５】
前記記録手段により記録された前記パケットデータを再生する際に、前記再生による映像と前記記録状況とを合わせて表示する再生制御手段を具備する請求項１０に記載のデジタル放送受信装置。
【請求項１６】
前記再生制御手段は、前記記録状況が異常である記録部分を飛ばして再生する請求項１５に記載のデジタル放送受信装置。
【請求項１７】
デジタル放送信号を受信する受信ステップと、
受信した前記デジタル放送信号を復調してパケットデータを抽出する復調ステップと、
前記復調ステップで抽出した前記パケットデータに含まれる受信が正常であるか異常であるかを示す情報に基づいて前記パケットデータの異常を検出する検出ステップと、
前記復調ステップで抽出した前記パケットデータを記録する記録ステップと、
前記検出ステップにおける検出結果に基づいて、前記記録ステップで記録した前記パケットデータの記録状況を判定する記録状況判定ステップと、
前記記録ステップで記録された前記パケットデータを再生する際に、前記再生による映像と前記記録状況とを合わせて表示する再生制御ステップと、
を具備するデジタル放送再生方法。
【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
デジタル放送信号を受信する受信手段と、
受信した前記デジタル放送信号を復調してパケットデータを抽出する復調手段と、
前記復調手段で抽出した前記パケットデータに含まれる受信が正常であるか異常であるかを示す情報に基づいて前記パケットデータの異常を検出する検出手段と、
前記復調手段で抽出した前記パケットデータを記録する記録手段と、
前記検出手段における検出結果に基づいて、前記記録手段に記録した前記パケットデータの記録状況を報知する報知手段と、
を具備するデジタル放送受信装置。
【請求項２】
前記記録手段は、前記検出手段における検出結果に関わらず前記パケットデータと共に前記記録状況を記録する請求項１記載のデジタル放送受信装置。
【請求項３】
前記報知手段は、前記記録状況の異常を報知する振動手段である請求項１に記載のデジタル放送受信装置。
【請求項４】
前記報知手段は、前記記録状況の異常を報知する発光手段である請求項１に記載のデジタル放送受信装置。
【請求項５】
前記報知手段は、前記記録状況が異常である場合、前記受信状況の改善を促す報知を行う請求項１に記載のデジタル放送受信装置。
【請求項６】
前記記録手段により記録された前記パケットデータを再生する際に、前記再生による映像と前記記録状況とを合わせて表示する再生制御手段を具備する請求項１に記載のデジタル放送受信装置。
【請求項７】
前記再生制御手段は、前記記録状況が異常である記録部分を飛ばして再生する請求項６に記載のデジタル放送受信装置。
【請求項８】
デジタル放送信号を受信する受信ステップと、
受信した前記デジタル放送信号を復調してパケットデータを抽出する復調ステップと、
前記復調ステップで抽出した前記パケットデータに含まれる受信が正常であるか異常であるかを示す情報に基づいて前記パケットデータの異常を検出する検出ステップと、
前記復調ステップで抽出した前記パケットデータを記録する記録ステップと、
前記検出ステップにおける検出結果に基づいて、前記記録ステップで記録した前記パケットデータの記録状況を判定する記録状況判定ステップと、
前記記録ステップで記録された前記パケットデータを再生する際に、前記再生による映像と前記記録状況とを合わせて表示する再生制御ステップと、
を具備するデジタル放送再生方法。
【手続補正２】
【補正対象書類名】明細書
【補正対象項目名】全文
【補正方法】変更
【補正の内容】
【発明の詳細な説明】
【技術分野】
【０００１】
本発明は、デジタル放送受信装置、デジタル放送記録方法およびデジタル放送再生方法に関する。
【背景技術】
【０００２】
日本国内で地上デジタルテレビジョン放送（以下、地上デジタル放送と表記する）が順次開始され、アナログ放送からデジタル放送への移行が拡大をしている。
【０００３】
近時、地上デジタル放送はＩＳＤＢ−Ｔ（Integrated Services Digital Broadcasting - Terrestrial）と呼ばれるセグメント化したＯＦＤＭ（Orthogonal Frequency Division Multiplex）変調方式を採用する。ＩＳＤＢ−Ｔでは、１つのチャンネルにおいて１３のセグメントを最大で３つの階層に分けることができ、各々の階層で別々の伝送パラメータを割り当てることが可能である。このことを以下で階層伝送と表記する。具体的には、日本の地上デジタル放送方式では、１つのチャンネルが１３の「セグメント」に分割されており、これをいくつか束ねたものを用いて映像、データ、及び音声などを送信している。
【０００４】
地上デジタル放送は階層伝送することで、１つのチャンネルで複数のサービスが可能である。地上デジタル放送は、２００６年４月１日に開始され、これまでの据置き型の固定受信装置向けの放送だけでなく、携帯端末や車載受信機などの移動体受信機で受信が可能となる（例えば、特許文献１）。地上デジタル放送で行なわれる携帯電話などの移動体向けの放送は、もともと技術的呼称として１セグメント放送と呼ばれていたが、地上デジタル放送推進協会によって２００５年９月にワンセグという名称が決定された。以下、携帯端末向けの地上デジタル放送を、ワンセグと表記する。
【０００５】
ワンセグの具体的実現にあたって色々な方法が提案されており、例えば特許文献１に記載の地上デジタル放送では、放送受信端末の受信信号に対し時間軸方向の予測符号化をして予想画像データを得る手段を設け、予測符号化された画像データと、受信信号から直接得た画像データとを組み合わせて記録ないし再生することにより高品質の画像記録及び再生を行う。また、ワンセグは、移動する携帯端末での受信を想定しているために、固定受信機による場合よりもエラーに強い変調方式、例えばＱＰＳＫ変調方式を用いる。
【特許文献１】特開２００５−２７７９９６号公報
【発明の開示】
【発明が解決しようとする課題】
【０００６】
しかしながら、予測符号化手段を設けて高度な画像処理を行い、あるいはエラーに強い変調方式を採用した場合であっても、ワンセグを受信する受信機は、携帯電話や車載受信機などの移動体受信機であるために、常に安定した受信環境で受信しているとは限らない。さらに、ワンセグの受信機は、ユーザの移動に伴い、電波を受信できる場所から電波をまったく受信できない場所へ移動する場合もあり、ワンセグの受信品質確保には自ずと限界があり、記録品質が一時的に低品質となる場合がある。その結果、ユーザに不具合感ないし不快感を与えるという問題がある。例えば、受信機にて放送番組を記録している間、ユーザが、記録している番組以外の番組を視聴している場合、またはメールやインターネットなど他のアプリケーションを利用している場合には、記録している放送番組の受信状況が悪化していても気がつかないことがある。その結果、ユーザは、記録された放送番組を再生した際に、初めて記録品質が低品質であることを知ることとなり、ユーザに不具合感ないし不快感を与えるという問題がある。
【０００７】
本発明はかかる点に鑑みてなされたものであり、受信環境が悪い状況下においてデジタル放送を受信して記録した場合でも、ユーザにとっては不具合感ないし不快感が生じることがなく、デジタル放送の良好な再生および表示を可能にするデジタル放送受信装置、デジタル放送記録方法およびデジタル放送再生方法を提供することを目的とする。
【課題を解決するための手段】
【０００８】
本発明のデジタル放送受信装置は、デジタル放送信号を受信する受信手段と、受信した前記デジタル放送信号を復調してパケットデータを抽出する復調手段と、前記復調手段で抽出した前記パケットデータに含まれる受信が正常であるか異常であるかを示す情報に基づいて前記パケットデータの異常を検出する検出手段と、前記復調手段で抽出した前記パケットデータを記録する記録手段と、前記検出手段における検出結果に基づいて、前記記録手段に記録した前記パケットデータの記録状況を報知する報知手段と、を具備する構成を採る。
【０００９】
本発明のデジタル放送再生方法は、デジタル放送信号を受信する受信ステップと、受信した前記デジタル放送信号を復調してパケットデータを抽出する復調ステップと、前記復調ステップで抽出した前記パケットデータに含まれる受信が正常であるか異常であるかを示す情報に基づいて前記パケットデータの異常を検出する検出ステップと、前記復調ステップで抽出した前記パケットデータを記録する記録ステップと、前記検出ステップにおける検出結果に基づいて、前記記録ステップで記録した前記パケットデータの記録状況を判定する記録状況判定ステップと、前記記録ステップで記録された前記パケットデータを再生する際に、前記再生による映像と前記記録状況とを合わせて表示する再生制御ステップと、を具備するようにした。
【発明の効果】
【００１０】
本発明によれば、デジタル放送受信において、受信状況に関わらず、ユーザにおいては、不具合感ないし不快感が生じることがなく、デジタル放送の良好な記録ないし再生をすることができる。
【発明を実施するための最良の形態】
【００１１】
以下、本発明の実施の形態について図面を参照して詳細に説明する。
【００１２】
（実施の形態）
図１は、本発明の実施の形態に係るワンセグ受信装置１００の構成を示すブロック図である。
【００１３】
図１において、ワンセグ受信装置１００は、アンテナ１、チューナ部２、ＯＦＤＭ復調部３、トランスポートデコーダ部４（以下、ＴＤ部４と表記する）、ＡＶデコーダ５、スピーカ６、主表示部７、振動装置８、発光装置９、ＣＰＵ１０、解析部１１、記録装置１２、ユーザインタフェース部１３（以下、ＵＩ部１３と表記する）、副表示部１４、通信部１５とから主に構成される。
【００１４】
アンテナ１は、図示しないデジタル放送送信装置がＯＦＤＭ変調して送信するＵＨＦ帯の１ＣＨから６３ＣＨのワンセグ電波を受信し、受信信号をチューナ部２に出力する。
【００１５】
チューナ部２は、アンテナ１が受信した受信信号から、ＣＰＵ１０により指定されたチャンネルの周波数の受信信号を選択し、利用者が設定したワンセグの放送信号としてＯＦＤＭ復調部３に出力する。
【００１６】
ＯＦＤＭ復調部３は、チューナ部２より出力されたワンセグの放送信号をＯＦＤＭ復調及び誤り訂正し、ＭＰＥＧ２−ＴＳ（Moving Picture Experts Group Phase 2 -Transport Stream：ＭＰＥＧ２トランスポートストリーム。以下、単に「ＴＳ」と記載する。）と呼ばれる１８８バイトの固定長パケットを抽出してＴＤ部４に出力する。また、ＯＦＤＭ復調部３は、復調したＴＳの各パケットについて、誤り訂正の結果、受信が正常であったか、異常であったかを判定する。具体的には、ＯＦＤＭ復調部３は、誤り訂正できた場合に受信が正常であると判定し、誤り訂正できなかった場合に受信が異常であると判定する。また、ＯＦＤＭ復調部３は、受信が正常であると判定した場合はＴＳパケットのヘッダに設けたＴＥＩ（Transport Error Indicator）に「０」を書き込み、受信が異常であると判定した場合にはＴＥＩに「１」を書き込む。そして、ＯＦＤＭ復調部３は、ＴＥＩを付加したＴＳをＴＤ部４に出力する。
【００１７】
ＴＤ部４は、ユーザが放送番組を視聴する時は、ＯＦＤＭ復調部３より入力したＴＳパケットを、ＣＰＵ１０により指定されたＰＩＤ（Packet Identifier）に従い、ＡＶデコーダ５に順次出力する。また、ＴＤ部４は、放送番組の記録時には、ＯＦＤＭ復調部３より入力したＴＳパケットを、ＣＰＵ１０により指定されたＰＩＤ（Packet Identifier）に従い、解析部１１に順次出力する。
【００１８】
ＡＶデコーダ５は、ユーザが放送番組を視聴する時、ＴＤ部４より出力されたＴＳパケットから、音声と映像のＰＥＳ（Packetized Elementary Stream）またはＥＳ（Elemantary Stream）を抽出して復号化し、音声信号および映像信号としてスピーカ６および主表示部７に出力する。
【００１９】
また、ＡＶデコーダ５は、記録された放送番組の再生時おいて、記録装置１２に記録されたＴＳパケットを読み出し、読み出されたＴＳパケットから音声と映像のＰＥＳ（Packetized Elementary Stream）またはＥＳ（Elemantary Stream）を抽出して復号化し、音声信号および映像信号としてスピーカ６および主表示部７に出力する。
【００２０】
スピーカ６は、ＡＶデコーダ５から出力された音声信号に従い、音声を再生する。
【００２１】
主表示部７は、ＡＶデコーダ部５から出力された映像信号に従い、映像を表示する。また、主表示部７は、記録装置１２に記録されている、記録が正常であるかまたは異常であるかの記録状況を、映像と合わせて表示する。なお、主表示部７は、広い表示領域を有し、ＣＰＵ１０がユーザの便利のため出力する文字情報を表示するＯＳＤ（On Screen Display）が、可能である。また、主表示部７は、映像と記録状況とを別々に表示しても良い。
【００２２】
振動装置８は、ワンセグ受信装置１００の受信状態が異常である場合、あるいは記録状態に異常もしくは不可であった場合をユーザに知らせるため、ＣＰＵ１０から振動の指令により振動する。
【００２３】
発光装置９は、振動装置８と同様、ワンセグ受信装置１００の状態をユーザに知らせるため、ＣＰＵ１０により発光の指令があるとき発光する。例えば、発光装置９は、正常に記録できた場合は青に発光し、記録が異常、もしくは不可の場合は赤に発光する。
【００２４】
ＣＰＵ１０は、ワンセグ受信装置１００全体の制御を行う。具体的には、ＣＰＵ１０は、チューナ部２、ＯＦＤＭ復調部３、ＴＤ部４を制御して、ユーザが選択した放送番組を、記録装置１２に記録するための制御を行う。さらに、ＣＰＵ１０は、例えば、記録装置１２への記録で異常が発生した場合には、その旨を示す情報を主表示部７にＯＳＤ（On Screen Display）する制御を行う。またＣＰＵ１０は、ワンセグ受信装置１００が折り畳み型の装置であり、折り畳まれた状態にあるため主表示部７をユーザが視認できない場合に異常が発生した場合には、折り畳まれた状態でユーザが視認できる副表示部１４に、例えば異常を表示する制御を行う。また、ＣＰＵ１０は、後述する解析部１１の検出結果に基づいて、振動装置８に対して振動することを指令するかまたは発光装置９に対して発光することを指令する。
【００２５】
解析部１１は、ＴＤ部４から入力したＴＳパケットを、放送番組を記録するために、記録装置１２に出力する。具体的には、解析部１１は、ＴＤ部４から入力した各ＴＳパケットのヘッダのＴＥＩを解析して放送番組の記録が正常であるか、または異常であるか、または不可であるかをパケットごとに検出し、検出結果を記録装置１２に出力する。
【００２６】
記録装置１２は、解析部１１から入力したＴＳパケットおよび各パケットの検出結果を、所定のフォーマットで記憶することにより、放送番組を記録する。また、記憶装置１２は、ＣＰＵ１０から放送番組の再生制御の指令があると、記憶したＴＳパケットをＡＶデコーダ５に出力する。
【００２７】
ＵＩ部１３は、ユーザが入力、操作を行うためのボタンなどを含んでおり、ユーザがボタンなどを操作することにより、例えば記録したい放送番組に対応する選局情報をＣＰＵ１０に出力し、あるいは放送番組の記録開始・停止、再生開始・停止などの情報をＣＰＵ１０に出力する。
【００２８】
通信部１５は、ワンセグ受信装置１００が携帯電話装置である場合に、基地局との通信を行う。
【００２９】
図２は、ワンセグ受信装置１００の放送番組の記録処理動作を示すフロー図である。以下、図２を用いてワンセグ受信装置１００の放送番組の記録処理動作を説明する。今、アンテナ１はワンセグの放送電波を受信しており、ユーザはＵＩ部１３を操作して、所定のチャネルの受信をするよう信号をＣＰＵ１０に出力していたものとする。
【００３０】
放送番組の記録が開始された場合、ＣＰＵ１０は、ＵＩ部１３が指定した放送番組の選局情報を取得し、チューナ部２およびＯＦＤＭ復調部３に選局の指示をする（ステップＳ１）。この結果、チューナ部２は、アンテナ１が受信した放送信号のうち、選局した所定の放送信号をＯＦＤＭ復調部３に出力する。ＯＦＤＭ復調部３は、入力した放送信号をＯＦＤＭ復調し、復調したデータ信号（ＴＥＩをヘッダ部に含むＴＳパケット）をＴＤ部４に出力する。
【００３１】
次に、ＣＰＵ１０は、ＴＤ部４に記録する放送番組のためのＰＩＤを指示する。ＴＤ部４は、ＰＩＤで指示された映像および音声のＴＳパケットを、解析部１１に出力する（ステップＳ２）。
【００３２】
解析部１１は、入力したＴＳパケットからＴＳヘッダを抽出し、ＴＥＩを取得する（ステップＳ３）。解析部１１は、取得したＴＥＩを解析し（ステップＳ４)、記録する放送番組が良好に受信されたか等の受信状態を検出し、検出結果をＣＰＵ１０に出力するとともに、検出結果を記録装置１２に所定のフォーマットで記録する。ＣＰＵ１０は、記録状況を判定する（ステップＳ５）。具体的には、ＣＰＵ１０は、ＴＥＩが１である場合は記録が異常と判断し、受信状況改善要求の報知を行うステップＳ６へ遷移し、ＴＥＩが０である場合は記録が正常と判断し、ステップＳ７へ遷移する。なお、ＴＳパケットが出力されずにＴＥＩを抽出できない場合は、ＣＰＵ１０は、ステップＳ５において、記録が不可であったと判断して、制御をステップＳ６へ遷移する。
【００３３】
次に、ステップＳ５において、解析部１１が行った検出の結果の記憶について説明する。図３は、記録装置１２に記憶する検出結果のフォーマットを示す。図３に示すように、検出結果は、ＰＥＳパケットの発生順に記録される。すなわち、図３において、ＰＴＳ（Presentation Time Stamp）は表示時刻を示す。実際のシステムでは通常ＰＴＳは２７ＭＨzでカウントされるが、説明を簡単にするため、図３においては、１ＭＨｚでカウントされ1／１００００００秒毎にＰＴＳがカウントされたＰＥＳパケットが送出されていたとして模式的に表示する。ＰＥＳパケットは複数のＴＳパケットから構成されているが、映像と音声のＴＳパケットのうち、少なくとも１つのＴＳパケットでＴＥＩが１となっていた場合は、解析部１１は、図３ではＰＥＳ６（再生時刻０．０００００６）およびＰＥＳ７（再生時刻０．０００００７）で示すように、該当ＰＥＳパケットは記録状況が「異常」であったとして、記録装置１２へ記録する。また、ＰＥＳパケットを構成しているＴＳパケットの全てのＴＥＩが解析できない場合は、解析部１１は、図３においてＰＥＳ８（再生時刻０．０００００８）およびＰＥＳ９（再生時刻０．０００００９）で示すように、該当ＰＥＳパケットの記録状況は、「不可」として記録装置１２へ記録する。全てのＴＳパケットのＴＥＩが０であるＰＥＳについては、解析部１１は、図３に示すように記録状況は、「正常」と記録装置１２に記録する（ステップＳ８）。
【００３４】
ステップＳ５で記録が異常、または、記録が不可と判断した場合（ステップＳ５：ＮＯ）、ＣＰＵ１０は主表示部７を制御して、図４の参照符号４１で示すように、例えば「録画できません。電波が改善する場所へ移動することをおすすめします。」の文字情報を、主表示部７の中央部にＯＳＤ表示を行い、電波の受信状況が悪いことをユーザに報知し、受信状況の改善を促す（ステップＳ６）。なお、ステップＳ６において、ワンセグ受信装置１００が、折りたたみ型の携帯電話などで、折りたたみ状態にあり主表示部７が使用できない状態の場合は、副表示部１４に記録の異常を表示する。
【００３５】
次に、ＣＰＵ１０は、解析部１１の検出結果に応じて、検出結果が示す記録状況を、図４の参照符号４２に示すように、発光装置９に表示させる（ステップＳ７）。例えば、発光装置９は、正常に記録できた場合は青に発光し、記録が異常、もしくは不可の場合は赤に発光する。さらに、記録が異常、もしくは、不可の場合は振動装置８を用いて振動させ、ユーザに記録が異常であることを報知する。
【００３６】
以上のように検出結果を自動的に記憶するのは、ユーザは、放送番組の記録中は放送番組を視聴しているとは限らないからである。例えば、ユーザは、記録している番組以外の放送番組の視聴や、メールやブラウザなど他のアプリケーションの利用をしていることが考えられ、このような場合には主表示部７以外で放送番組の記録状況の報知をすることがユーザに対して望ましいからである。
【００３７】
以上のようにして、映像、音声のＴＳパケットおよび検出結果は、解析部１１を介して記録装置１２に記録される（ステップＳ９）。
【００３８】
次に、ワンセグ受信装置１００は、記録中に記録装置１２の記録容量の限界に達するか、またはユーザから記録の停止要求があった場合は記録処理を終了（ステップＳ１０：ＹＥＳ）し、それ以外（ステップＳ１０：ＮＯ）は、ステップＳ１に遷移し放送番組の記録を継続する。
【００３９】
次に、ワンセグ受信装置１００に記録した放送番組の再生処理動作について説明する。図５は、ワンセグ受信装置１００において、一連の映像と音声のＴＳパケットによって記録装置１２に記録された放送番組の再生処理する動作を示すフロー図である。
【００４０】
ＣＰＵ１０は、再生が開始された場合、記録装置１２に記録された放送番組の内容およびその記録状況を確認する（ステップＳ１１）。
【００４１】
次に、再生に係る放送番組および受信状況などが主表示部７に表示される。以下、主表示部７に表示される態様を図６を用いて説明する。図６において、主表示部７は、参照符号６０で示す。
【００４２】
ステップＳ１１にて確認処理が終了すると、ＣＰＵ１０は、再生に係る放送番組の記録時間を、図６の参照符号６１に示すように、「○○時間△△分××秒」と秒単位まで表示する（ステップＳ１２）。
【００４３】
次にＣＰＵ１０は、記録状況を主表示部７に表示させる。具体的には、記録状況に異常がない場合は、図６の参照符号６２で示す、バー状で横長の表示を行い、記録が正常である旨を表示する。なお、図６における参照符号６３で示す矢印マークは、再生の進行に伴い左から右に移動して、バー状の表示６２と連動して、再生に係る放送番組の再生箇所を表示する。
【００４４】
また、ＣＰＵ１０は、記録状況に異常があることが確認されている場合には、異常の発生を主表示部７に表示する。この場合の異常の表示を、図７を用いて説明する。図７において、参照符号７０は主表示部７を示す。ＣＰＵ１０は、図７に参照符号７１で示すように、記録に異常な箇所があることをユーザが視認しやすい主表示部７０の中央位置に、例えば「○分○秒間  映像・音声が乱れます」と異常が発生する旨をＯＳＤにより明示して表示する。同様に、記録が不可であった場合は、ＣＰＵ１０は、図８に参照符号８１で示すように記録不可な箇所があることを、例えば「○分○秒間録画に失敗しました  スキップします。」とＯＳＤに表示する（ステップＳ１３）。なお、図８において、参照符号８０は、主表示部７を示す。
【００４５】
その後、ＣＰＵ１０は、記録装置１２を制御して記録内容の再生を開始させる(ステップＳ１４)。再生された映像信号は、ＡＶデコーダ５によって、主表示部７に映像を表示する。この映像は、主表示部７の中央部である、図６において参照符号６４で示す部分に表示される。また、映像の再生が正常に行われる場合、ＣＰＵ１０は主表示部７（図６では、参照符号６０）を制御して、図６の参照符号６３で示す矢印状の表示により、現在の再生場所が時間軸上のどこの位置であるかを表示させ、さらに図６の参照符号６１で示す位置に、例えば「○○時間△△分××秒」のように、再生場所の時間軸上のどこの位置である現在の再生時刻を秒単位まで表示させる（ステップＳ１５）。
【００４６】
次に、ＣＰＵ１０は、記録装置１２から読み出した、図３に示す記録内容を参照して記録状態を把握し、記録状態が異常である場合はステップＳ１７に遷移して、後述する対応する異常処理を行い、記録状態が正常であればステップＳ１８へ遷移して再生を停止するかどうかを判定する（ステップＳ１６）。従って、ユーザがＵＩ部１３を操作して再生の停止をしない限り、ワンセグ受信装置１００は、再生を継続する。
【００４７】
ステップＳ１６において、記録状態が異常である場合（ステップＳ１６：ＮＯ）、ＣＰＵ１０は、制御をステップＳ１６に遷移して主表示部７を制御して、図７に参照符号７１で示すように、例えば「○分○秒間映像・音声が乱れます」と主表示部７（図７においては、参照符号７０）の中央部に表示する（ステップＳ１７）。なお、ＣＰＵ１０は、ステップＳ１７において、記録が異常な部分の時間を、例えば図３に模式的に示したように、記録状況が異常になるＰＥＳパケットのタイミングから記録状況が正常になるＰＥＳパケットのタイミングまでの時間（図３においては、ＰＥＳ６からＰＥＳ９までの時間）を利用して算出する。このようにして記録が異常となる時間を算出すると、ＣＰＵ１０は、図７において参照符号７３で示すように、時間軸上のどの部分が異常であるかを明示する表示を行う。このような受信の異常を示す表示７３は、複数の箇所で発生する場合もある。
【００４８】
さらにＣＰＵ１０は、主制御部７を制御して、図８で示すように、主表示部７（図８においては、参照符号８０で示す。）の中央部８１に「記録が正常なところまでスキップしますか？」と表示する。この表示に対応してユーザがスキップすると判断し、その旨をＵＩ部１３から出力させた場合は、ＣＰＵ１０は記録装置１２の再生動作を制御する。具体的には、記録装置１２は、ＣＰＵ１０からの制御に従い、該当出力を受けて記録が正常なところから再生を開始する（ステップＳ１７）。図８において、参照符号８３は、スキップの対象となる記録が正常に行えていない部分を表示している。
【００４９】
次に、記録された最後のＰＥＳパケットが再生された場合、またはＵＩ部１３で再生停止の指示があった場合（ステップＳ１８：ＹＥＳ）は、ＣＰＵ１０は記録装置１２を制御し、記録装置１２はＣＰＵ１０からの制御に従い再生を停止し、その他の場合は（ステップＳ１８：ＮＯ）、ＣＰＵ１０は制御をステップＳ１４へ遷移して、記録装置１２を制御し、記録装置１２はＣＰＵ１０からの制御に従い、再生を継続する（ステップＳ１８）。
【００５０】
以上のように、記録装置１２から放送番組が再生されると、記録装置１２から読み出されるＴＳパケットはＡＶデコーダ５に出力され、ワンセグの受信時と同様、ワンセグがスピーカ６で音声が再生され、主表示部７に映像が表示される。
【００５１】
なお、放送番組の再生の場合、振動装置８や発光装置９を、起動しないよう構成してもよい。ユーザは視聴状態にあり、警報はあえては不要だからである。ただし、ユーザがＵＩ部１３を操作し、警報を発するよう設定した場合は、ＣＰＵ１０がこの設定状態を検出し、異常時などには振動装置８や発光装置９を起動するようにしてもよい。すなわち、振動装置８や発光装置９は、ユーザが記録対象の放送番組を視聴することなく、いわゆる裏番組として、記録している場合に、ＯＳＤ機能と相まって、受信の異常や、受信記録が不可の状態を確実にユーザに報知できるので、ワンセグ受信装置の使い勝手を向上させ、実用上の効果は大きい。
【００５２】
以上説明した本発明の実施の形態においては、記録装置１２に記録されるＴＳパケットはワンセグ電波を受信して入力されるものとしたが、これに限らず、携帯電話の通信網から通信部１５を介して取得した映像情報などのＴＳパケットを記録することも可能である。
【００５３】
なお、以上説明した本発明の実施の形態においては、説明が徒に複雑となるのを避けるため、ＴＳパケットは音声および映像に分離されるものとして説明したが、音声、映像の他、各種の制御信号に分離されるものであってもよい。この音声、映像ないし各種制御のためのパケットは、ＴＤ部４で分離され、解析部１１を介して、記録装置１２に記録されるものであってもよい。このようなＯＦＤＭ復調部３で復調され得られたＴＳパケットの分離制御などは、デジタル放送の分野では当業者にとって周知であるので、本明細書では詳しい説明は省略してある。
【００５４】
なお、本発明は、特に携帯ないし移動して使用されるワンセグ受信装置において特に実用的効果が高いものであるが、ワンセグ受信を行う固定受信向けのデジタル放送受信装置にも適用できる。また、本発明は、１セグメントを用いたデジタル放送に限るものではなく、数セグメントを用いたデジタル放送を受信するデジタル放送受信装置にも適用できる。
【００５５】
以上のように、本発明の実施の形態に係るワンセグ受信装置によれば、ワンセグ受信において不可避的に電波状況が悪くなった場合であっても、受信状況を受信時、再生時のいずれの場合もユーザに明確に報知するので、ユーザにおいては、記録状況が悪いことを予め認識できるので、ユーザは不要な不具合感ないし不快感を抑えて、ワンセグ受信装置を良好に利用することが可能となる。
【産業上の利用可能性】
【００５６】
本発明は、デジタル放送受信装置およびデジタル放送再生方法に適用するのに有用である。
【図面の簡単な説明】
【００５７】
【図１】本発明の実施の形態に係るワンセグ受信装置の構成を示すブロック図
【図２】本発明の実施の形態に係るワンセグ受信装置の記録処理動作を示すフロー図
【図３】本発明の実施の形態に係るワンセグ受信装置の記録状態の検出結果を示す図
【図４】本発明の実施の形態に係るワンセグ受信装置の放送番組の記録時における受信異常を示す図
【図５】本発明の実施の形態に係るワンセグ受信装置の放送番組の再生処理動作を示すフロー図
【図６】本発明の実施の形態に係るワンセグ受信装置の放送番組の記録が正常の場合における再生時の表示例を示す図
【図７】本発明の実施の形態に係るワンセグ受信装置の放送番組の記録が異常な場合における再生時の表示例を示す図
【図８】本発明の実施の形態に係るワンセグ受信装置の放送番組の記録が不可である場合における再生時の表示例を示す図
【手続補正３】
【補正対象書類名】図面
【補正対象項目名】全図
【補正方法】変更
【補正の内容】
【図１】
2008068870.tif 000011
【図２】
2008068870.tif 000012
【図３】
2008068870.tif 000013
【図４】
2008068870.tif 000014
【図５】
2008068870.tif 000015
【図６】
2008068870.tif 000016
【図７】
2008068870.tif 000017
【図８】
2008068870.tif 000018
【国際調査報告】
2008068870.tif 000019
2008068870.tif 000020